(57)【要約】【課題】薄形で収納棚の収納部の容積を拡大でき、送風機を制御する制御部や制御スイッチに故障がなく、信頼性がある蒸気排出ユニットを提供する。【解決手段】本蒸気排出ユニットは、送風機がケーシングに遠心式ファンを回転させるモータを内装し、ユニット本体の前面の中央部近傍に水平に配され、送風機を制御する制御部が、蒸気排気口と送風機を挟んで反対側に配される。【選択図】  図７
2008161431.tif 000002
【特許請求の範囲】
【請求項１】
電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、
前記送風機はケーシングに遠心式ファンを回転させるモータが内装されかつ、
前記ユニット本体の前面の中央部近傍に水平に配され、前記送風機を制御する制御部は、前記ケーシングの吹出口に連通する前記蒸気排気口と前記送風機を挟んで反対側に配されることを特徴とする蒸気排出ユニット。
【請求項２】
電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、
前記送風機はケーシングに遠心式ファンを回転させるモータが内装されかつ、
前記ユニット本体の前面の中央部近傍に水平に配され、前記送風機を制御する制御スイッチは、前記ケーシングの吹出口に連通する前記蒸気排気口と前記送風機を挟んで反対側に配されることを特徴とする蒸気排出ユニット。
【請求項３】
前記制御スイッチは前記制御部に近接して設けられることを特徴とする請求項２に記載の蒸気排出ユニット。
【請求項４】
前記制御部に前記送風機の運転状態を表示する表示ランプを備えた表示部が設けられ、この表示部がユニット本体の前面板にあるいは、この前面板に近接して設けることを特徴とする請求項１ないし３のいずれか１項に記載の蒸気排出ユニット。
【発明の詳細な説明】
【技術分野】
【０００１】
本発明は蒸気排出ユニットに係り、特に、その構造を改良した蒸気排出ユニットに関する。
【背景技術】
【０００２】
従来、収納棚に収納された炊飯器、電気ポットあるいはコーヒーメーカーなどの電気器具の加熱時に発生する蒸気を外部に排出するために、収納棚に蒸気排出ユニットを組み込んでいる。
【０００３】
このような従来の収納棚において、電気炊飯器や電気ポットなどヒータを熱源とする電気器具が多く収納される。
【０００４】
従来の収納棚は、蒸気排出ユニットに電気器具からの蒸気発生状態を検知して送風機の作動を制御するファン制御手段を設け、さらに、ユニット本体の前面板にスイッチ、表示ランプを設けたものが提案されている（特許文献１）。
【０００５】
しかしながら、特許文献１に記載の蒸気排出ユニットは大型な漏斗形状のダクトと軸流ファンを用いているため、蒸気排出ユニットが大型になり、収納棚の収納部の容積が減じられ、さらに、スイッチ、表示ランプが蒸気排気口の下方に配されるので、スイッチ、表示ランプが蒸気あるいは凝縮水に触れ、故障の原因になり、信頼性に欠けていた。
【０００６】
また、ユニット本体の厚肉部にスイッチ及び蒸気排気口を設けた蒸気排出ユニットが提案されている（特許文献２）。
【０００７】
しかしながら、特許文献２に記載の蒸気排出ユニットは、厚肉部の下方には背丈の高い電気ポットを置くことができず、さらに、スイッチ及び蒸気排気口が近接しているため、スイッチ、表示ランプが蒸気あるいは凝縮水に触れ、故障の原因になり、信頼性に欠けていた。
【特許文献１】実開平５−４９３２号公報
【特許文献２】特開２００２−８１７１０号公報
【発明の開示】
【発明が解決しようとする課題】
【０００８】
本発明は上述した事情を考慮してなされたもので、薄形で収納棚の収納部の容積を拡大でき、送風機を制御する制御部や制御スイッチに故障がなく、信頼性がある蒸気排出ユニットを提供することを目的とする。
【課題を解決するための手段】
【０００９】
上述した目的を達成するため、本発明に係る蒸気排出ユニットは、電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、前記送風機はケーシングに遠心式ファンを回転させるモータが内装されかつ、前記ユニット本体の前面の中央部近傍に水平に配され、前記送風機を制御する制御部は、前記ケーシングの吹出口に連通する前記蒸気排気口と前記送風機を挟んで反対側に配されることを特徴とする。
【００１０】
本発明に係る蒸気排出ユニットは、電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、前記送風機はケーシングに遠心式ファンを回転させるモータが内装されかつ、前記ユニット本体の前面の中央部近傍に水平に配され、前記送風機を制御する制御スイッチは、前記ケーシングの吹出口に連通する前記蒸気排気口と前記送風機を挟んで反対側に配されることを特徴とする。
【発明の効果】
【００１１】
本発明に係る蒸気排出ユニットによれば、薄形で収納棚の収納部の容積を拡大でき、送風機を制御する制御部や制御スイッチに故障がなく、信頼性がある蒸気排出ユニットを提供することができる。
【発明を実施するための最良の形態】
【００１２】
本発明の一実施形態に係る蒸気排出ユニットについて添付図面を参照して説明する。
【００１３】
図１は本発明の一実施形態に係る蒸気排出ユニットを組み込んだ収納棚の正面図、図２は本蒸気排出ユニットの斜視図、図３は本蒸気排出ユニットの下面図、図４は本蒸気排出ユニットの幅方向の縦断面図、図５は本蒸気排出ユニットの奥行幅方向の縦断面図である。
【００１４】
図１に示すように、本発明の一実施形態に係る蒸気排出ユニット１は、炊飯器、電気保温ポットあるいはコーヒーメーカーなどの電気器具が収納される収納棚３１の収納部３２の上部に取り付けて使用される。
【００１５】
図２に示すように、蒸気排出ユニット１は扁平直方体状のユニット本体２を備え、ユニット本体２の外周側面には蒸気排気口３が設けられる。
【００１６】
図３乃至図５に示すように、ユニット本体２の底面には、このユニット本体２の一部をなす凹部形成板４によって形成され、底面が平らで扁平略矩形状の凹部５が設けられ、この凹部５の略全体を覆うように平板状の蒸気分散板６が取り付けられる。
【００１７】
凹部５は可能な限り浅くして、ユニット本体２を薄くし、さらに、蒸気分散板６は、凹部５の下端部５ａと段差ができるように凹部５に押し込んで、空間部を形成し、蒸気分散板６の下方には大きな収納部３２のスペースを形成する。
【００１８】
また、凹部５には、蒸気分散板６により図中ドットを付して示す蒸気吸込口７が形成され、この蒸気吸込口７は、蒸気分散板６に設けた円弧部を含む略Ｔ字状の第１の吸込口７ａと、蒸気分散板６の周縁部と凹部５の側面とで画成されるコ字状の第２の吸込口７ｂからなる。これにより、均一かつ速やかな吸い込みが可能となる。
【００１９】
第２の吸込口７ｂの奥行方向の位置（寸法）は、ユニット本体２の底部の奥行の長さ（寸法）の７０％以上であるのが好ましい。
【００２０】
図４〜図６（図２の天板除去図）及び図７（図６のダクト除去図）に示すように、送風機８はユニット本体２の前面の略中央部近傍に、水平状態に配され、送風機８の大部分はユニット本体２の厚肉部２ａに収容され、ケーシング１０の円弧状部１０ａがわずかに収納部３２を形成する凹部５に突出し、ケーシング１０の底板１０ｂが厚肉部２ａより外部に突出しない。
【００２１】
また、送風機８は遠心式ファン９を備え、扁平で略σ字状をなすケーシング１０には、遠心式ファン９を回転させるモータ１１が内装される。扁平なケーシング１０にモータ１１を内装することで送風機８が薄くなり、蒸気排出ユニット１の厚みが薄くなる。
【００２２】
従って、送風機８をユニット本体２の前面の略中央部近傍に水平状態に配することで、ケーシング１０は円弧状部１０ａが収納部３２を形成する凹部５に突出するにとどまり、凹部５の中央域に突出することがなく、さらに、ケーシング１０を凹部５すなわちユニット本体２から下方に突出しないので、収納部３２を十分に確保でき、さらに、美観も向上する。
【００２３】
また、ケーシング１０のケーシング吸込口１０ｃは、送風機８の上方に位置するダクト１２に設けたダクト吸込口１２ａに連通する。
【００２４】
ダクト１２は扁平で略２等辺三角形状をなし、この２等辺三角形の底角近傍に、上記２個のダクト吸込口１２ａを設け、頂角近傍にダクト吹出口１２ｂを設けている。２個のダクト吸込口１２ａは、凹部形成板４に設けた２個の通気孔４ａに各々一致し、ダクト吸込口１２ａ及び通気孔４ａは、各々蒸気分散板６と凹部形成板４間に形成される扁平な狭い通気路１３に対向して開口する。
【００２５】
一方、ダクト吹出口１２ｂは凹部形成板４の２個の通気孔４ａの幅方向の距離の中間に位置、すなわち送風機８は、２個のダクト吸込口１２ａの幅方向の距離の中間に位置する。
【００２６】
このダクト１２が蒸気吸込口７及び通気孔４ａを介して吸い込んだ蒸気を、ダクト吹出口１２ａ、ケーシング吸込口１０ｃを介してケーシング１０に吸い込み、蒸気排気口３からユニット本体２外に排出する。
【００２７】
また、送風機８を２個のダクト吸込口１２ａの幅方向の距離の中間に位置させることにより、収納部３２で発生する蒸気を偏りなく、速やかに排出でき、さらに、吸気に偏りがないので、静音化を図ることができる。また、２個のダクト吸込口の大きさあるいはダクトの長さ、開口面積を調整して両ダクト吸込口からの吸気量の調整を図る必要がなく、設計も容易になる。
【００２８】
一方、ケーシング１０には、遠心式ファン９を回転させるモータ１１が内装される。略σ字状の直線状部１０ｄの先端に設けられるケーシング吹出口１０ｄまで達し、ケーシング１０の一側部をなす底板１０ｂは、全面に渡って平板状をなし、途中に何らの段差がなく、ケーシング吹出口１０ｅ及び蒸気排気口３の下端と略同一高さに位置する。
【００２９】
従って、扁平なダクト１２を水平に配し、このダクト１２に扁平なケーシング１０を重ねて水平に配することで、薄形の蒸気排出ユニット１が実現するとともに、排気が段差に衝突して発する騒音もなく、静音化を図ることができる。
【００３０】
ケーシング１０の形状及び送風機８の配置は、送風機８から吹き出される蒸気の流れと平行でケーシング吹込口１０ｅの開口端部と接する遠心式ファン９の接線Ｌが、蒸気排気口３の開口端部３ａの内側の位置に突き当たるように設定される。これにより、結露してできた水滴が正面に排気するのを防ぎ、使用者に不快感を与えない。
【００３１】
また、ケーシング吹出口１０ｅ近傍の底板１０ｂに僅かに下方に膨出するドレン溜め凹部１０ｆが設けられる。これにより、ケーシング吹出口１０ｅ近傍で凝縮する凝縮水を溜めることができる。
【００３２】
さらに、送風機８に隣接するユニット本体２の一側には、送風機８を制御する制御基板に設ける制御部１４がユニット本体２の厚肉部２ａに収容されて設けられる。
【００３３】
制御部１４は、ケーシング１０の直線状部１０ｄの先端に設けられるケーシング吹出口１０ｅに連通する蒸気吹出口３及び直線状部１０ｄと大きな距離を有して離間するように、蒸気排気口３と送風機８（遠心ファン９）を挟んで反対側に配される。これにより、直線状部１０ｄ及び蒸気吹出口３を介して排出される高温の蒸気の影響を抑制でき、制御部に故障がなく、信頼性を向上させることができる。
【００３４】
また、送風機８を制御する制御スイッチ１５は、蒸気排気口３と送風機８を挟んで反対側に、制御部１４に近接して設けられる。これにより、制御部１４に蒸気吹出口３から排出される蒸気が直接触れあるいは、凝縮水が付着することがなく、制御部１４に故障がなく、信頼性を向上させることができる。
【００３５】
さらに、制御部１４に送風機８の運転状態を表示する表示ランプを備えた表示部１６が設ける。この表示部１６がユニット本体２の前面板２ｂにあるいは、この前面板２ｂに近接して設ける。これにより、表示部１６への凝縮水の付着がなく、表示部１６の故障がなく、さらに、表示部１６の取り付けが容易になる。
【００３６】
図８は蒸気排出ユニット１に２個の電源が接続され、２個の入力端子、制御部及び２個の出力端子を含む電源回路を２回線使用する場合を示す。
【００３７】
第１の電流ブレーカＳ１、第２の電流ブレーカＳ２と、ユニット本体２に設けた第１の入力端子１７、第２の入力端子１８は、例えば、収納棚設置時などに配線接続される。この第１の入力端子１７は、屋内分電盤より分電された電源（電流ブレーカ）に常時接続される常時通電入力端子であり、この第１の入力端子１７は常時通電を必要とする制御部入力端子１９と、第１の出力端子２０に並列に接続され、第１の入力端子１７と第１のコンセントＣ１を接続する配線の一側には第１の電流センサー２１が取り付けられ、この第１の電流センサー２１で検知した電流情報信号は制御部１４に入力される。
【００３８】
第２の入力端子１８は第２の出力端子２３に接続され、第２の入力端子１８と第２のコンセントＣ２を接続する配線の一側には第２の電流センサー２４が取り付けられ、この第２の電流センサー２４で検知した電流情報信号は制御部１４に入力される。また、第２の入力端子１８は、第２の出力端子２３に接続され、この第２の入力端子１８と第２の出力端子２３を接続する配線の一側には第２の電流センサー２４が取り付けられ、この第２の電流センサー２４で検知した電流情報信号は制御部１４に入力される。さらに、第２の出力端子２３には、第２のコンセントＣ２が接続される。
【００３９】
制御部１４は電気器具への給電状態に応じて送風機８を制御するためのものであり、制御部１４には送風機出力端子２５が設けられ、この送風機出力端子２５には送風機８が接続される。
【００４０】
従って、第１のコンセントＣ１及び第２のコンセントＣ２に接続される電気器具が通電状態であるときは、第１の電流センサー２１、第２の電流センサー２４がその電流を検知し、制御部１４を介して、送風機８を駆動して、蒸気の排気を行い、電気器具に通電されていない状態では、制御部１４を介して、送風機８を停止させる。これにより、省エネルギー運転が可能になる。
【００４１】
図１に示すように、蒸気排出ユニット１は、収納棚３１の収納部３２の上部に組み込まれ、炊飯器、電気保温ポットなどの電気器具を収納棚３１の収納部３２に収納して使用する。このとき、蒸気排出ユニット１は薄形であり、収納部３２は大きなスペースが確保される。
【００４２】
電気器具の電源が入れられ、送風機８に通電され、電気器具から発生した蒸気は、送風機８の作用により、蒸気吸込口７、ダクト１２を介して蒸気排気口３からユニット本体２外に排出される。
【００４３】
この蒸気排気過程において、蒸気吸込口７が蒸気分散板６周囲及び中央部に設けられるので、均一かつ速やかな吸気を行なうことができ、さらに、送風機８を２個のダクト吸込口１２ａの幅方向の距離の中間に位置させることにより、収納部３２で発生する蒸気を偏りなく、速やかかつ静かに排気できる。
【００４４】
制御部１４は、蒸気吹出口３及び直線状部１０ｄと大きな距離を有して離間するので、直線状部１０ｄ及び蒸気吹出口３を介して排出される高温の蒸気の影響を抑制でき、制御部に故障がなく、信頼性を向上させることができる。
【００４５】
また、制御スイッチ１５も、蒸気吹出口３と大きな距離を有して離間するので、制御スイッチ１５に凝縮水が付着することがなく、制御スイッチ１５に故障がなく、信頼性を向上させることができる。
【００４６】
本実施形態の蒸気排出ユニットによれば、薄形で収納棚の収納部の容積を拡大でき、送風機を制御する制御部や制御スイッチに故障がなく、信頼性がある蒸気排出ユニットが実現する。
【図面の簡単な説明】
【００４７】
【図１】本発明に係る蒸気排出ユニット付収納棚の正面図。
【図２】本発明に係る蒸気排出ユニット付収納棚に用いる蒸気排出ユニットの斜視図。
【図３】本発明に係る蒸気排出ユニット付収納棚に用いる蒸気排出ユニットの下面図。
【図４】本発明に係る蒸気排出ユニット付収納棚に用いる蒸気排出ユニットの幅方向の縦断面図。
【図５】本発明に係る蒸気排出ユニット付収納棚に用いる蒸気排出ユニットの奥行幅方向の縦断面図。
【図６】本発明に係る蒸気排出ユニット付収納棚に用いる蒸気排出ユニットの天板を除去して示す上面図。
【図７】本発明に係る蒸気排出ユニット付収納棚に用いる蒸気排出ユニットのダクトを除去して示す上面図。
【図８】本発明に係る蒸気排出ユニット付収納棚に用いる蒸気排出ユニットの電気回路図。
【符号の説明】
【００４８】
１  蒸気排出ユニット
２  ユニット本体
３  蒸気排気口
４  凹部形成板
４ａ  通気孔
５  凹部
５ａ  下端部
６  蒸気分散板
７  蒸気吸込口
８  送風機
９  遠心式ファン
１０  ケーシング
１０ａ  円弧状部
１０ｂ  底板
１０ｃ  ケーシング吸込口
１０ｄ  直線状部
１０ｅ  ケーシング吹出口
１１  モータ
１２  ダクト
１２ａ  ダクト吸込口
１２ｂ  ダクト吹出口
１３  通気路
１４  制御部
１５  制御スイッチ
１６  表示部
【図１】
2008161431.tif 000003
【図２】
2008161431.tif 000004
【図３】
2008161431.tif 000005
【図４】
2008161431.tif 000006
【図５】
2008161431.tif 000007
【図６】
2008161431.tif 000008
【図７】
2008161431.tif 000009
【図８】
2008161431.tif 000010